(57)【要約】【課題】  ２つのチューナーにより、同時に２つの放送信号を受信している状態で、チューナー内部のＯＳＣ発振回路によりチューナー同士のノイズ成分が干渉することを有効に回避することが可能であり部品点数が少なく低コストかつ小型化であって、容易に設計することが可能なチューナーを備えた電子機器を提供する。【解決手段】  平板状の回路基板４と、この回路基板４に実装された第１、第２のチューナー５Ａ、５Ｂとを構成し、第１のチューナー５Ａと第２のチューナー５Ｂが同時に２つのテレビ放送信号を受信することが可能なチューナーを備えた電子機器１であって、第１のチューナー５Ａと第２のチューナー５Ｂとの距離が離して配置され、第１のチューナーと５Ａ第２のチューナー５Ｂとの間に放熱板が配置されることにより、第１のチューナー５Ａと第２のチューナー５Ｂ同士のノイズ成分の干渉を有効に回避することができる。【選択図】      図１
2005167314.tif 000002
【特許請求の範囲】
【請求項１】
チューナーを備えた電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの間に放熱板を配置し、該放熱板により前記第１のチューナーと前記第２のチューナー同士のノイズ成分の干渉を回避したことを特徴とするチューナーを備えた電子機器。
【請求項２】
チューナーを備えた電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの距離を２０ｍｍ以上離して配置し、かつ、前記第１のチューナーと前記第２のチューナーとの間に放熱板を配置し、該放熱板の高さを前記第１のチューナーと前記第２のチューナーの高さより高く形成したことを特徴とするチューナーを備えた電子機器。
【請求項３】
前記第１のチューナーと前記第２のチューナーの高さが同一高さであり、これら前記第１のチューナーと前記第２のチューナーの高さに対する前記放熱板の高さの比が１．２以上であることを特徴とする請求項２記載のチューナーを備えた電子機器。
【請求項４】
チューナーを備えた電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの距離を８０ｍｍ以上離して配置し、かつ、前記第１のチューナーと前記第２のチューナーとの間に放熱板を配置し、該放熱板の高さを前記第１のチューナー及び前記第２のチューナーの高さと略同一の高さに形成されたことを特徴とするチューナーを備えた電子機器。
【発明の詳細な説明】
【技術分野】
【０００１】
本発明は、チューナーを備えた電子機器に関し、詳しくは２つのチューナーを備え、該２つのチューナー間での相互の影響を考慮した電子機器に関する。
【背景技術】
【０００２】
従来の電子機器である、ＶＣＲ（Video Cassette Recorder）、ＤＶＤ（Digital Versatile Disk）、ＨＤＤ（Hard Disk Recorder）等の記録ユニットを備えたテレビなどの複合電子機器においては、テレビ放送を視聴する際に用いられる一方の第１のチューナーと、いわゆる裏番組の録画をするために用いられるテレビ放送信号を記録することが可能な他方の第２のチューナーとを備えており、このような電子機器には２つのチューナーを配置することにより障害となるノイズなどの相互干渉を回避する必要があった。
【０００３】
そこで、従来から用いられている２つのチューナーを備えた、いわゆるテレビなどの各種複合電子機器においては、各チューナーにある局部発振回路によるチューナー間の相互干渉を回避する為に以下の様な対策を行っていた。
【０００４】
チューナー内部でＯＳＣ（Oscillator）発振レベルを制御して一方のチューナーが他方のチューナーに影響を与えない様に、単にチューナー内部の電気回路や機構的な対策として適宜チューナーを設計していた。また、チューナーを覆うケースたるカバーの材質又は形状の工夫によりＯＳＣ発振の外部への漏れを最小限に抑えていた。また、回路基板に配置された２つのチューナーの位置を相互干渉が少なくなるように、距離を離して影響を最小限に抑えるように配置したりしていた。
【０００５】
また、例えば、特開２００２−１５２６１１号公報には、複数のチューナーである２つのチューナーが、基板の両面に夫々設けられ、これらのチューナー間に有する基板によって、チューナー同士がノイズなどの相互干渉を受け難くするチューナー装置が開示されてはいる。
【０００６】
また、特開平９−１６３２７０号公報には、ノイズなどの妨害の影響を回避する複数のチューナーを備えたテレビジョン受像機が開示されている。
【特許文献１】特開２００２−１５２６１１号公報
【特許文献２】特開平９−１６３２７０号公報
【発明の開示】
【発明が解決しようとする課題】
【０００７】
しかし、前述した従来例においては、チューナー同士の相互干渉を比較的少なく抑えることが可能ではあるものの、チューナー間の相互干渉を有効に抑えるためには、チューナー間に一定の距離を保った状態で電子機器本体内の限られたスペース内に、２つのチューナーを配置しなければならないので、スペース的に制限があって、しかもユーザーが小型化を望んでいる電子機器においては、その本体内に設けられたチューナー同士の相互干渉を有効に抑えることが困難であった。
【０００８】
また、チューナー同士の相互干渉を防止するために、相互干渉の原因となるチューナー内部に設けられたＯＳＣ発振回路の近傍にＯＳＣ発振遮断専用のシールド板を配置して、これにより、チューナー同士の干渉を遮断する場合においては、相互干渉防止用のシールド板を専用にチューナー内部に設けることにより、部品点数の増加によるコスト増や、それを取り付けるための製造工程に時間を要するなどの問題があり、しかも、チューナーを設計する際においても、電気回路や機構構造にＯＳＣ発振遮断のために予め特別な設計である特殊仕様を行う必要が生じていた。
【０００９】
前記特許文献１においては、基板によってノイズの相互干渉を有効に遮断することは困難であり、また、近年小型化が切望されているチューナーを備えた電子機器においては、スペース的な制限が多く、電子機器本体が大型化となる問題があった。
【００１０】
本発明は上述した問題点を鑑みてなされたものであり、２つのチューナーにより、同時に２つの放送信号を受信している状態で、チューナー内部のＯＳＣ発振回路によりチューナー同士のノイズ成分が干渉することを有効に回避することが可能であり部品点数が少なく低コストかつ小型化であって、容易に設計することが可能なチューナーを備えた電子機器を提供することをその目的とする。
【課題を解決するための手段】
【００１１】
請求項１の発明のチューナーを備えた電子機器は、チューナーを備えた電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの間に放熱板を配置し、該放熱板により前記第１のチューナーと前記第２のチューナー同士のノイズ成分の干渉を回避したものであり、請求項２の発明は、前記第１のチューナーと前記第２のチューナーが同時に２つのテレビ放送信号を受信することが可能なチューナーを備えた電子機器において、前記第１のチューナーと前記第２のチューナーとの距離を２０ｍｍ以上離して配置し、かつ、前記第１のチューナーと前記第２のチューナーとの間に放熱板を配置し、該放熱板の高さを前記第１のチューナーと前記第２のチューナーの高さより高く形成したものである。
【００１２】
上記構成によれば、第１のチューナーと第２のチューナーとの間の相互干渉する発振周波数の飛び込みを有効に遮断する効果が得られので相互干渉を、有効且つ容易に回避することができる。
【００１３】
請求項３の発明のチューナーを備えた電子機器は、請求項２において、前記第１のチューナーと前記第２のチューナーの高さが同一高さであり、これら前記第１のチューナーと前記第２のチューナーの高さに対する前記放熱板の高さの比が１．２以上にしたものである。
【００１４】
上記構成によれば、第１のチューナーと第２のチューナーとの間の相互干渉する発振周波数の飛び込みを有効に遮断する効果が得られので相互干渉を、有効且つ容易に防止することができるチューナーを備えた電子機器を提供することができる。
【００１５】
請求項４の発明のチューナーを備えた電子機器は、チューナーを備えた電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの距離を８０ｍｍ以上離して配置し、かつ、前記第１のチューナーと前記第２のチューナーとの間に放熱板を配置し、該放熱板の高さを前記第１のチューナー及び前記第２のチューナーの高さと略同一の高さに形成したものである。
【００１６】
上記構成によれば、比較的高さの高い部品である第１、第２のチューナーと放熱板を略同一高さに形成することにより、制限のある電子機器内の高さ方向のスペースを有効に活用することができると共に、第１のチューナーと第２のチューナーと同士の相互干渉する局部発振の飛び込みを有効に防止できる。
【発明の効果】
【００１７】
請求項１の発明によれば、チューナーを備えた電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの間に放熱板を配置したので、該放熱板により前記第１のチューナーと前記第２のチューナー同士のノイズ成分の干渉を回避することができる。
【００１８】
請求項２の発明によれば、チューナーを備た電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの距離を２０ｍｍ以上離して配置し、かつ、前記第１のチューナーと前記第２のチューナーとの間に配置された放熱板の高さを、前記第１のチューナー及び前記第２のチューナーの高さより高く形成したので、局部発振の飛び込みを有効且つ容易に回避することができる。
【００１９】
請求項３の発明によれば、前記第１のチューナーと前記第２のチューナーの高さが略同一高さであり、これら前記第１のチューナーと前記第２のチューナーの高さに対する前記放熱板の高さの比を１．２以上にしたものであるので、相互干渉する局部発振の飛び込みを有効に遮断するチューナーを備えた電子機器を提供することができる。
【００２０】
請求項４の発明によれば、チューナーを備た電子機器に設けられた平板状の回路基板と、該回路基板に実装された第１、第２のチューナーとにより構成され、前記第１のチューナーと前記第２のチューナーが同時に２つのテレビ放送信号を受信することが可能なチューナーを備えた電子機器において、前記第１のチューナーと前記第２のチューナーとの距離を８０ｍｍ以上離して配置し、かつ、前記第１のチューナーと前記第２のチューナーとの間に配置された放熱板の高さと、前記第１のチューナー及び前記第２のチューナーの高さを略同一に形成したので、相互干渉する発振周波数の飛び込みを有効に防止できる。
【発明を実施するための最良の形態】
【００２１】
以下、図１〜図５を参酌しながら、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２２】
図１は、本実施例におけるチューナーを備えた電子機器の回路基板上の要部を示す平面図である。また、図２は、回路基板上の配置構成を示す概略図である。
【００２３】
１は、本実施例におけるチューナーを備えた電子機器であり、この電子機器１は全体が筐体２により覆われ箱型に形成されている。この電子機器１には、複数の回路素子３などを有する平板状の回路基板４が水平方向に設けられており、回路基板４上の一方の面である上面には、少なくとも２つのチューナーが実装されている。これら２つのチューナーである電波によるテレビ放送などを視聴する際に用いられる第１のチューナー５Ａと、この第１のチューナー５Ａがテレビ放送などを視聴可能なテレビ放送信号を受信状態で、いわゆる裏番組の録画をするために用いられるテレビ放送信号を記録することが可能な第２のチューナー５Ｂは、図２に示すように、電子機器１の後方側の回路基板４上に実装されている。なお、電子機器１は、第１のチューナー５Ａと第２のチューナー５Ｂにより、同時に２つのテレビ放送信号を受信することが可能である。
【００２４】
また、電子機器１の前方であって回路基板４の上方には、記録再生ユニットたるＶＣＲ（Video Cassette Recorder）７が備えられている。
【００２５】
なお、本実施例における、第１のチューナー５Ａと第２のチューナー５Ｂは、高さ寸法が４５ｍｍであり、相互干渉を回避する為に、第１のチューナー５Ａと第２のチューナー５Ｂとの間に、図示しない音声出力用サウンドアンプ用ＩＣなどの熱を放熱させるための、例えばアルミニウムなどの金属製の放熱板６を配置し、第１のチューナー５Ａと第２のチューナー５Ｂとの間を一定の距離Ｌを保って配置することにより、第１のチューナー５Ａまたは第２のチューナー５Ｂの内、いずれか一方のチューナー内部のＯＳＣ発振回路から他方のチューナーへのノイズ成分などが干渉することを有効に回避することが可能な構成となっている。
【００２６】
なお、このような放熱板６は音声出力用サウンドアンプ用ＩＣ用以外に用いられる電源出力用、電源ＩＣ用に用いられる放熱板６としても良い（チューナー内部に設けられたＩＦ周波数のＯＳＣ発振を遮断する役割の為、放熱板に取り付けられているＩＣの種類は限定されるものではない）。前述した放熱板６は元々、放熱板６に取り付けられているＩＣ等の熱を放熱させる効果を得る為に金属製で尚且つＧＮＤ電位(接地)に固定されている為、ＯＳＣ発振等のノイズを遮断出来る材質が用いられている。
【００２７】
次に、第１、第２のチューナー５Ａ、５Ｂについて詳しく説明する。
【００２８】
２つのチューナーである第１、第２のチューナー５Ａ、５Ｂは、各々が概ね箱型であって、本実施例においては前述したようにそれぞれが同様の高さ寸法である４５ｍｍに形成されており、図４に示すようにＯＳＣ（Oscillator）発振回路１０が第１、第２のチューナー５Ａ、５Ｂ夫々の上方であってアンテナ入力用端子１１の反対側に配置されている。
【００２９】
ＯＳＣ発振回路１０は、ＶＨＦ局部発振用であって無線周波数であるＲＦ（Radio Frequency）からＩＦ（中間周波数）を作り出す為の第１のＯＳＣ発振回路１０Ａと、ＵＨＦ局部発振用であってＲＦ（Radio Frequency）からＩＦ（中間周波数）を作り出す為の第２のＯＳＣ発振回路１０Ｂとにより構成されている。
【００３０】
なお、第１のＯＳＣ発振回路１０Ａと第２のＯＳＣ発振回路１０Ｂは、図示しない放送受信アンテナからの信号を入力するアンテナ入力用端子１１から受信した信号からのそれぞれの帯域のＩＦ（中間周波数）を作り出す機能を有する。
【００３１】
また、ＯＳＣ発振回路１０の下方には、映像・音声復調回路１２が設けられている。この映像・音声復調回路１２は、ＩＦ（中間周波数）の復調回路となっており、映像信号はＡＭ検波、音声信号はＦＭ検波を行っている。
【００３２】
また、１３はＯＳＣとＲＦ信号とで作られたＩＦ（中間周波数）の同調回路であるフィルタ回路であり、このフィルタ回路１３は、第１のＯＳＣ発振回路１０Ａと第２のＯＳＣ発振回路１０Ｂを構成するＯＳＣ発振回路１０の側部に設けられている。
【００３３】
映像・音声復調回路１２の側部には、ＶＨＦ段間回路１４が設けられており、ＲＦ信号の増幅後の選局回路となっており、ＶＨＦ段間回路１４の上部に設けられたＲＦ信号を増幅するまでの選局を行うＵＨＦ断間回路１５からの信号が入力されるものである。
【００３４】
１６は、ＶＨＦ段間回路１４及びＵＨＦ断間回路１５の側部に設けられたＲＦ段階における選局用入力の入力回路である。この入力回路１６の上部には、分配器１７が設けられており、本実施例における２つのチューナーを備えた電子機器１の場合、一方の第１のチューナー５Ａに入力した信号を他方の第２のチューナー５Ｂへ信号を送信するものである。
【００３５】
次に、第１のチューナー５Ａと第２のチューナー５Ｂ、及び放熱板６の配置における第１、第２のチューナー間のノイズ成分の相互干渉結果を、第１のチューナーと第２のチューナーとの距離Ｌとし、放熱板の高さをＨとして以下に説明する。
【００３６】
【表１】
2005167314.tif 000003
【００３７】
上記表1に示すように、この実験結果によれば、シールド用の放熱板が無い状態と、放熱板６の高さを３０ｍｍ、４５ｍｍ、５５ｍｍに順次変更して配置した場合と、それぞれの状態において第１のチューナーと第２のチューナーであるチューナー間の距離Ｌを２０ｍｍ、５０ｍｍ、８０ｍｍ、１００ｍｍに離した状態での第１のチューナー５Ａと第２のチューナー５Ｂとのノイズ成分の相互干渉について実験した結果、以下の結果が得られた。
【００３８】
放熱板無しの場合は、チューナー間の距離Ｌが１００ｍｍ未満では、いずれの状態であっても画面上にビートが発生した（１００ｍｍの場合はビート無し）。なお、ビートとは、第１のチューナー５Ａと第２のチューナー５Ｂとのノイズ成分の相互干渉のことであり、すなわち干渉のために生ずる電波のうなりである。
【００３９】
放熱板６の高さを３０ｍｍとした場合（チューナーに対する、放熱板６の高さを６０％に設定した場合）においては、チューナー間の距離Ｌを２０ｍｍ、５０ｍｍ、８０ｍｍ、１００ｍｍの順に変更して実験を行ったが、放熱板６の高さが低すぎることにより、第１のチューナー５Ａまたは第２のチューナー５Ｂのいずれかの内部に設けられたＯＳＣ発振回路１０からの発振を遮断出来ず、放熱板無しの状態と同様の結果となった。
【００４０】
そして、放熱板の高さを４５ｍｍとした、すなわち放熱板６の高さＨとチューナー５Ａと第２のチューナー５Ｂの高さが同じ高さ(チューナーの高さに対し、放熱板の高さを１００％に設定)とした場合は、チューナー５Ａと第２のチューナー５Ｂとの間の距離Ｌが、２０ｍｍまたは５０ｍｍの場合は、いずれにおいてもほとんどビートの影響は無かった。また、チューナー間の距離Ｌを８０ｍｍとした場合は全くビートの影響はなかった。チューナー間の距離Ｌを８０ｍｍ以上である１００ｍｍとした場合にも同様にビートの影響（発生）は全くなかった。
【００４１】
また、放熱板の高さを５５ｍｍ(チューナーに対し、放熱板の高さの比を１．２に設定した)とした場合、相互干渉を回避する為にチューナー間の距離Ｌを約２０ｍｍ離すだけで、ビートは全く発生しなかった。さらに、チューナー間の距離Ｌを５０ｍｍ、８０ｍｍ、１００ｍｍとした場合も、同様にビートの発生は全くなかった。
【００４２】
従って、上述した実験結果によれば、第１のチューナー５Ａと第２のチューナー５Ｂとの間に配置する放熱板６の高さＨは、望ましくは第１、第２のチューナー５Ａ、５Ｂの高さに対して放熱板を１．２の高さにすればチューナー間の距離を、ほとんど考慮せずに、回路基板４上の適宜位置に２つのチューナーである第１、第２のチューナー５Ａ、５Ｂを配置出来るので、第１のチューナー５Ａと第２のチューナー５Ｂ同士の相互干渉（ビート）する局部発振の飛び込みを有効に遮断する効果が得られので相互干渉を、有効且つ容易に回避することができる。
【００４３】
また、第１のチューナー５Ａと第２のチューナー５Ｂとの間に放熱板６が無い場合においては、第１のチューナー５Ａと第２のチューナー５Ｂとの距離を１００ｍｍ以上離さなければ第１のチューナー５Ａと第２のチューナー５Ｂ同士が干渉するので、放熱板６の高さを第１のチューナー５Ａと第２のチューナー５Ｂとの同じ高さ（高さの比１．０）とした場合においては、第１のチューナー５Ａと第２のチューナー５Ｂ間の距離Ｌを８０ｍｍまで近づける事が可能であり、第１のチューナー５Ａと第２のチューナー５Ｂとの間の相互干渉（ビート）する局部発振の飛び込みを有効に遮断する効果が得られので相互干渉を、有効且つ容易に回避することができる。
【００４４】
また、図６に示すように、放熱板６の高さＨは、望ましくは第１、第２のチューナー５Ａ、５Ｂに対し１．０〜１．２倍以上の高さとして、実際には、第１、第２のチューナー５Ａ、５Ｂの高さＬを１．０とすると、これに対する放熱版６の高さを１．２とすることによって、放熱板６を第１のチューナー５Ａまたは第２のチューナー５Ｂのいずれか一方から単に２０ｍｍ離して配置する事のみによって、第１のチューナー５Ａと第２のチューナー５Ｂ同士の相互干渉する局部発振の飛び込みを有効に遮断する効果が得られので相互干渉を、有効且つ容易に回避することが可能である。
【００４５】
また、図示しない他の回路ブロックで使用している放熱板を兼用する事によって相互干渉を回避する為の特別なシールド板を使用したり、２つのチューナー間の距離を必要以上に離したりする基板設計をする必要が無い。
【００４６】
以上のように、本実施例のチューナーを備えた電子機器１は、チューナーを備た電子機器１に設けられた平板状の回路基板４と、回路基板４に実装された第１、第２のチューナー５Ａ、５Ｂとにより構成され、第１のチューナー５Ａと第２のチューナー５Ｂが同時に２つのテレビ放送信号を受信することが可能なチューナーを備えた電子機器１において、第１のチューナー５Ａと第２のチューナー５Ｂとの距離が２０ｍｍ以上に離して配置され、第１のチューナー５Ａと第２のチューナー５Ｂとの間に配置された放熱板６の高さが、第１のチューナー５Ａと第２のチューナー５Ｂより高く形成されたものであり、第１のチューナー５Ａと第２のチューナー５Ｂとの間の相互干渉する発振周波数の飛び込みを有効に遮断する効果が得られので相互干渉を、有効且つ容易に回避することができる。
【００４７】
さらに、第１のチューナー５Ａと第２のチューナー５Ｂの高さが同一高さであり、これら第１のチューナー５Ａと第２のチューナー５Ｂの高さに対する放熱板６の高さが１２０％以上にしたので、第１のチューナー５Ａと第２のチューナー５Ｂとの間の相互干渉する発振周波数の飛び込みを有効に遮断する効果が得られので相互干渉を、有効且つ容易に防止することが可能なチューナーを備えた電子機器１を消費者に提供することが可能である。
【００４８】
また、チューナーを備えた電子機器１は、この電子機器１に設けられた平板状の回路基板４と、回路基板４に実装された第１、第２のチューナー５Ａ、５Ｂとにより構成され、第１のチューナー５Ａと第２のチューナー５Ｂが同時に２つのテレビ放送信号を受信することが可能なチューナーを備えた電子機器１であって、第１のチューナー５Ａと第２のチューナー５Ｂとの距離が８０ｍｍ以上に離して配置され、かつ第１のチューナー５Ａと第２のチューナー５Ｂとの間に配置された放熱板６の高さと、第１のチューナー５Ａと第２のチューナー５Ｂの高さを同一に形成したので、比較的高さの高い部品である第１、第２のチューナー５Ａ、５Ｂと放熱板６を同一高さに形成することにより、制限のある電子機器１内の高さ方向のスペースを有効に活用することができると共に、第１のチューナー５Ａと第２のチューナー５Ｂとの間の相互干渉する発振周波数の飛び込みを有効に防止できる。
【図面の簡単な説明】
【００４９】
【図１】本実施例における回路基板の要部平面図である。
【図２】同上回路基板上の配置を示す概略説明図である。
【図３】同上第１、第２のチューナーの配置状態を示す斜視図である。
【図４】同上第１、第２のチューナーの構成を示す概略図である。
【図５】同上第１、第２のチューナーと放熱板の位置関係を示す図である。
【図６】同上第１、第２のチューナーと放熱板の位置関係の変形例を示す図である。
【符号の説明】
【００５０】
１  電子機器
４  回路基板
５Ａ  第１のチューナー
５Ｂ  第２のチューナー
【図１】
2005167314.tif 000004
【図２】
2005167314.tif 000005
【図３】
2005167314.tif 000006
【図４】
2005167314.tif 000007
【図５】
2005167314.tif 000008
【図６】
2005167314.tif 000009